【手続補正書】
【提出日】平成25年8月26日(2013.8.26)
【手続補正１】
【補正対象書類名】明細書
【補正対象項目名】００１０
【補正方法】変更
【補正の内容】
【００１０】
前述した概要及び以下の詳細な説明の両方が、代表的で説明に役立つものであり、クレームされたような実施の形態の更なる説明を提供することを意図されていることが理解される。
出願時の請求項は、以下の通りである。
１．  オスルアーコネクタに連結されるように構成された接続部と、
前記接続部に連結される近位端と、当該近位端の反対側にある遠位端と、前記近位端と前記遠位端との間に形成され消毒剤を収容するチャンバと、を有する本体部と、
前記遠位端で前記本体部に連結され、前記消毒剤の漏れを防ぐように構成された封止部材と、
を備え、
前記チャンバは、前記封止部材の動きにより少なくとも部分的に開放されて、メスルアーコネクタの露出部分に、前記消毒剤を収容する当該チャンバへのアクセスを提供するように構成されている
ことを特徴とするオスルアーコネクタキャップ。
２．前記接続部は、当該接続部に形成され、オスルアーコネクタに形成された対応するルアーねじ部に係合されるように構成されたたルアーねじ部を有するねじ部を有している
ことを特徴とする請求項１に記載のオスルアーコネクタキャップ。
３．前記接続部は、オスルアーコネクタの一部分に滑らかに嵌合されるように構成されたスリーブ部を有している
ことを特徴とする請求項１に記載のオスルアーコネクタキャップ。
４．  前記スリーブ部は、オスルアーコネクタの外面に把持するように係合するように弾性のある材料からなる
ことを特徴とする請求項３に記載のオスルアーコネクタキャップ。
５．  メスルアーコネクタが、ニードルレスバルブを有している
ことを特徴とする請求項１に記載のオスルアーコネクタキャップ。
６．  前記チャンバは、メスルアーコネクタの露出部分が前記遠位端から当該チャンバ内に進入することを許容するような大きさに形成されている
ことを特徴とする請求項１に記載のオスルアーコネクタキャップ。
７．  消毒剤が消毒液を有している
ことを特徴とする請求項１に記載のオスルアーコネクタキャップ。
８．  前記チャンバは、前記消毒液の少なくとも一部を吸収するための基材を収容している
ことを特徴とする請求項７に記載のオスルアーコネクタキャップ。
９．  前記基材は、フォームスポンジを有している
ことを特徴とする請求項８に記載のオスルアーコネクタキャップ。
１０．  前記基材は、前記チャンバ内の表面に少なくとも部分的に取付けられている
ことを特徴とする請求項８に記載のオスルアーコネクタキャップ。
１１．  前記封止部材は、可剥性の蓋を有している
ことを特徴とする請求項１に記載のオスルアーコネクタキャップ。
１２．  前記封止部材は、ヒンジ式の蓋を有している
ことを特徴とする請求項１に記載のオスルアーコネクタキャップ。
１３．  前記本体部は、当該本体部内で前記遠位端に形成されたメスルアーねじ部を有しており、
前記メスルアーねじ部は、メスルアーコネクタの対応するオスねじ部に係合するように構成されている
ことを特徴とする請求項１に記載のオスルアーコネクタキャップ。
１４．  ハウジング部を有するオスルアーコネクタと、
当該オスルアーコネクタに連結されるオスルアーコネクタキャップと、
を備え、
前記ハウジング部は、当該ハウジング部内に形成されたルアーねじ部を有しており、
前記オスルアーコネクタキャップは、
前記オスルアーコネクタに連結されるように構成された接続部と、
前記接続部に連結される近位端と、当該近位端の反対側にある遠位端と、前記近位端と前記遠位端との間に形成され消毒剤を収容するチャンバと、を有する本体部と、  
前記遠位端で前記本体部に連結され、前記消毒剤の漏れを防ぐように構成された封止部材と、
を備え、
前記チャンバは、前記封止部材の動きにより少なくとも部分的に開放されて、メスルアーコネクタの露出部分に、前記消毒剤を収容する当該チャンバへのアクセスを提供するように構成されている
ことを特徴とするオスルアーコネクタとキャップとのアセンブリ。
１５．  前記オスルアーコネクタは、注入器に連結されている
ことを特徴とする請求項１４に記載のオスルアーコネクタとキャップとのアセンブリ。
１６．  前記接続部は、当該接続部に形成され、前記オスルアーコネクタに形成された対応するルアーねじ部に係合されるように構成されたたルアーねじ部を有するねじ部を有していることを特徴とする請求項１４に記載のオスルアーコネクタとキャップとのアセンブリ。
１７．  前記接続部は、前記オスルアーコネクタの一部分に滑らかに嵌合されるように構成されたスリーブ部を有している
ことを特徴とする請求項１４に記載のオスルアーコネクタとキャップとのアセンブリ。
１８．  前記チャンバは、メスルアーコネクタの露出部分が前記遠位端から当該チャンバ内に進入することを許容するような大きさに形成されている
ことを特徴とする請求項１４に記載のオスルアーコネクタとキャップとのアセンブリ。
１９．  消毒剤が、基材に吸収される消毒液を有している
ことを特徴とする請求項１４に記載のオスルアーコネクタとキャップとのアセンブリ。
２０．  前記封止部材は、可剥性の蓋を有している
ことを特徴とする請求項１４に記載のオスルアーコネクタとキャップとのアセンブリ。
２１．  前記封止部材は、ヒンジ式の蓋を有している
ことを特徴とする請求項１４に記載のオスルアーコネクタとキャップとのアセンブリ。
２２．  オスルアーバルブが、ニードルレスバルブを有している
ことを特徴とする請求項１４に記載のオスルアーコネクタとキャップとのアセンブリ。
２３．  前記露出部分は、前記ニードルレスバルブの露出面を有している
ことを特徴とする請求項２２に記載のオスルアーコネクタとキャップとのアセンブリ。
２４．  前記オスコネクタキャップの本体部は、前記オスルアーコネクタに連通する空洞を有しており、
前記本体部は、前記空洞から外側に通気路をもたらす孔であって、前記オスルアーコネクタに接続された点滴液配送システムからの流入を可能にする孔を有している
ことを特徴とする請求項１４に記載のオスルアーコネクタとキャップとのアセンブリ。
２５．  メスルアーコネクタの露出部分を消毒する方法であって、
消毒剤を収容するチャンバと当該チャンバ内にある前記消毒剤を封止するための封止部材とを有するオスルアーコネクタキャップに、連結されたオスルアーコネクタを準備する工程と、
前記消毒剤を露出するために前記封止部材の動きにより前記チャンバを少なくとも部分的に開放する工程と、
メスルアーコネクタが前記オスルアーコネクタと係合する前に、前記メスルアーコネクタの露出部分を前記チャンバ内の消毒液に接触させる工程と、
を備える
ことを特徴とするメスルアーコネクタの露出部分を消毒する方法。
２６．  前記メスルアーコネクタは、ニードルレスバルブを有している
ことを特徴とする請求項２５に記載の方法。
２７．  前記接触させる工程は、前記消毒液を含有する消毒綿を前記ニードルレスバルブの露出面に適用する工程を含む
ことを特徴とする請求項２６に記載の方法。
２８．  前記接触させる工程は、前記メスルアーコネクタを前記オスルアーコネクタキャップに螺合するように係合させる工程を含む
ことを特徴とする請求項２５に記載の方法。
２９．  前記メスルアーコネクタが前記オスルアーコネクタと係合する前に、前記オスルアーコネクタから前記オスルアーコネクタキャップを分離させる工程を更に備える
ことを特徴とする請求項２５に記載の方法。
３０．  前記分離させる工程の前に、前記オスルアーコネクタに取付けられた点滴液配送システムに流入を受け入れさせる工程を更に備える
ことを特徴とする請求項２９に記載の方法。
３１．  前記流入を受け入れさせる工程は、前記オスルアーコネクタキャップ内に設けられた孔を介して点滴配送システム内に存在する空気を除去する工程を含む
ことを特徴とする請求項３０に記載の方法。
【手続補正２】
【補正対象書類名】特許請求の範囲
【補正対象項目名】全文
【補正方法】変更
【補正の内容】
【特許請求の範囲】
【請求項１】
オスルアーコネクタの中央柱部が当該接続部のルーメン内に受容されるように、使用時にオスルアーコネクタにねじ係合する外部周りのルアーねじ部を有する接続部と、
前記接続部に連結される近位端と、当該近位端の反対側にある遠位端と、前記近位端と前記遠位端との間に形成され消毒剤を収容するチャンバと、を有する本体部と、  
前記遠位端で前記本体部に連結され、前記消毒剤の漏れを防ぐように構成された封止部材と、
を備え、
前記チャンバは、前記封止部材の動きにより少なくとも部分的に開放されて、メスルアーコネクタの露出部分に、前記消毒剤を収容する当該チャンバへのアクセスを提供するように構成されている
ことを特徴とするオスルアーに接続するためのキャップ。
【請求項２】
メスルアーコネクタが、ニードルレスバルブを有している
ことを特徴とする請求項１に記載のオスルアーコネクタキャップ。
【請求項３】
消毒剤が消毒液を有している
ことを特徴とする請求項１または２に記載のオスルアーコネクタキャップ。
【請求項４】
前記チャンバは、前記消毒液の少なくとも一部を吸収するための基材を収容している
ことを特徴とする請求項３に記載のオスルアーコネクタキャップ。
【請求項５】
前記基材は、フォームスポンジを有している
ことを特徴とする請求項４に記載のオスルアーコネクタキャップ。
【請求項６】
前記基材は、前記チャンバ内の表面に少なくとも部分的に取付けられている
ことを特徴とする請求項４に記載のオスルアーコネクタキャップ。
【請求項７】
前記封止部材は、可剥性の蓋を有している
ことを特徴とする請求項１または２に記載のオスルアーコネクタキャップ。
【請求項８】
前記封止部材は、ヒンジ式の蓋を有している
ことを特徴とする請求項１または２に記載のオスルアーコネクタキャップ。
【請求項９】
前記本体部は、当該本体部内で前記遠位端に形成されたメスルアーねじ部を有しており、
前記メスルアーねじ部は、メスルアーコネクタの対応するオスねじ部に係合するように構成されている
ことを特徴とする請求項１または２に記載のオスルアーコネクタキャップ。
【請求項１０】
ハウジング部を有するオスルアーコネクタと、
当該オスルアーコネクタに連結されるオスルアーコネクタキャップと、
を備え、
前記ハウジング部は、当該ハウジング部内に形成されたルアーねじ部を有しており、
前記オスルアーコネクタキャップは、
前記オスルアーコネクタの中央柱部が当該接続部のルーメン内に受容されるように、使用時に前記オスルアーコネクタにねじ係合する外部周りのルアーねじ部を有する接続部と、
前記接続部に連結される近位端と、当該近位端の反対側にある遠位端と、前記近位端と前記遠位端との間に形成され消毒剤を収容するチャンバと、を有する本体部と、
前記遠位端で前記本体部に連結され、前記消毒剤の漏れを防ぐように構成された封止部材と、
を備え、
前記チャンバは、前記封止部材の動きにより少なくとも部分的に開放されて、メスルアーコネクタの露出部分に、前記消毒剤を収容する当該チャンバへのアクセスを提供するように構成されている
ことを特徴とするオスルアーコネクタとキャップとのアセンブリ。
【請求項１１】
前記オスルアーコネクタは、注入器に連結されている
ことを特徴とする請求項１０に記載のオスルアーコネクタとキャップとのアセンブリ。
【請求項１２】
消毒剤が、基材に吸収される消毒液を有している
ことを特徴とする請求項１０に記載のオスルアーコネクタとキャップとのアセンブリ。
【請求項１３】
前記封止部材は、可剥性の蓋を有している
ことを特徴とする請求項１０乃至１２のいずれかに記載のオスルアーコネクタとキャップとのアセンブリ。
【請求項１４】
前記封止部材は、ヒンジ式の蓋を有している
ことを特徴とする請求項１０乃至１２のいずれかに記載のオスルアーコネクタとキャップとのアセンブリ。
【請求項１５】
オスルアーバルブが、ニードルレスバルブを有している
ことを特徴とする請求項１０乃至１２のいずれかに記載のオスルアーコネクタとキャップとのアセンブリ。
【請求項１６】
前記露出部分は、前記ニードルレスバルブの露出面を有している
ことを特徴とする請求項１５に記載のオスルアーコネクタとキャップとのアセンブリ。
【請求項１７】
前記オスコネクタキャップの本体部は、前記オスルアーコネクタに連通する空洞を有しており、
前記本体部は、前記空洞から外側に通気路をもたらす孔であって、前記オスルアーコネクタに接続された点滴液配送システムからの流入を可能にする孔を有している
ことを特徴とする請求項１０乃至１２のいずれかに記載のオスルアーコネクタとキャップとのアセンブリ。
【請求項１８】
メスルアーコネクタの露出部分を消毒する方法であって、
（ｉ）消毒剤を収容するチャンバと、（ｉｉ）当該チャンバ内にある前記消毒剤を封止するための封止部材と、（ｉｉｉ）前記オスルアーコネクタの中央柱部が当該接続部のルーメン内に受容されるように、使用時に前記オスルアーコネクタにねじ係合する外部周りのルアーねじ部を有する接続部と、を有するオスルアーコネクタキャップに連結されたオスルアーコネクタを準備する工程と、
前記消毒剤を露出するために前記封止部材の動きにより前記チャンバを少なくとも部分的に開放する工程と、
メスルアーコネクタが前記オスルアーコネクタと係合する前に、前記メスルアーコネクタの露出部分を前記チャンバ内の消毒液に接触させる工程と、
を備え、
前記チャンバは、メスルアーコネクタの露出部分を受け入れるような大きさに形成されている
ことを特徴とするメスルアーコネクタの露出部分を消毒する方法。
【請求項１９】
前記メスルアーコネクタは、ニードルレスバルブを有している
ことを特徴とする請求項１８に記載の方法。
【請求項２０】
前記接触させる工程は、前記消毒液を含有する消毒綿を前記ニードルレスバルブの露出面に適用する工程を含む
ことを特徴とする請求項１９に記載の方法。
【請求項２１】
前記接触させる工程は、前記メスルアーコネクタを前記オスルアーコネクタキャップに螺合するように係合させる工程を含む
ことを特徴とする請求項１８乃至２０のいずれかに記載の方法。
【請求項２２】
前記メスルアーコネクタが前記オスルアーコネクタと係合する前に、前記オスルアーコネクタから前記オスルアーコネクタキャップを分離させる工程を更に備える
ことを特徴とする請求項１８乃至２０のいずれかに記載の方法。
【請求項２３】
前記分離させる工程の前に、前記オスルアーコネクタに取付けられた点滴液配送システムに流入を受け入れさせる工程を更に備える
ことを特徴とする請求項２２に記載の方法。
【請求項２４】
前記流入を受け入れさせる工程は、前記オスルアーコネクタキャップ内に設けられた孔を介して点滴配送システム内に存在する空気を除去する工程を含む
ことを特徴とする請求項２３に記載の方法。
【請求項２５】
オスルアーコネクタに連結されるように構成された接続部と、
前記接続部に連結される近位端と、当該近位端の反対側にある遠位端と、前記近位端と前記遠位端との間に形成され消毒剤を収容するチャンバと、を有する本体部と、  
前記チャンバと前記接続部との間に配置されて、前記チャンバと前記接続部との間に空洞を規定するようにテーパ状になっている遷移部分と、
前記遠位端で前記本体部に連結され、前記消毒剤の漏れを防ぐように構成された封止部材と、
を備え、
前記チャンバは、前記封止部材の動きにより少なくとも部分的に開放されて、メスルアーコネクタの露出部分に、前記消毒剤を収容する当該チャンバへのアクセスを提供するように構成されており、
前記本体部は、メスルアーコネクタの露出部分が前記遠位端から前記チャンバ内に進入することを許容するような大きさに形成されている
ことを特徴とするオスルアーに接続するためのキャップ。
【請求項２６】
前記チャンバを前記遷移部分から隔離するために、前記本体部内において、前記チャンバと前記遷移部分との間に配置された仕切部を更に備える
ことを特徴とする請求項２５に記載の接続のためのキャップ。
【請求項２７】
前記空洞は、前記オスルアーコネクタに流体連通する
ことを特徴とする請求項２６に記載の接続のためのキャップ。
【請求項２８】
前記本体部は、前記空洞から外側に通気路をもたらす孔であって、前記オスルアーコネクタに接続された点滴液配送システムからの流入を可能にする孔を有している
ことを特徴とする請求項２７に記載の接続のためのキャップ。
【請求項２９】
前記本体部は、当該本体部内で前記遠位端に形成されたメスルアーねじ部を有しており、
前記メスルアーねじ部は、メスルアーコネクタの対応するオスねじ部に係合するように構成されている
ことを特徴とする請求項２６乃至２８のいずれかに記載のオスルアーコネクタキャップ。
【請求項３０】
前記チャンバは、メスルアーコネクタの露出部分が前記遠位端から前記チャンバ内に進入することを許容するような大きさに形成されている
ことを特徴とする請求項１または２に記載のオスルアーコネクタキャップ。
【請求項３１】
前記チャンバは、メスルアーコネクタの露出部分が前記遠位端から前記チャンバ内に進入することを許容するような大きさに形成されている
ことを特徴とする請求項１０乃至１２のいずれかに記載のオスルアーコネクタとキャップとのアセンブリ。
【請求項３２】
前記チャンバは、メスルアーコネクタの露出部分を受容するような大きさに形成されている
ことを特徴とする請求項１８乃至２０のいずれかに記載の方法。